(57)【特許請求の範囲】
【請求項１】
複数のパネルを一直線状に並設して内部壁を形成し、この内部壁の両面にそれぞれ水平方向に長く複数のパネルにまたがる胴縁を上下方向複数段に取付け、この内部壁の両面の胴縁にそれぞれ複数のボードを並設して外部壁を形成するとともに、この外部壁と内部壁との間に空気層を形成した耐火遮音間仕切壁であって、
前記各胴縁の内側部には、前記内部壁のパネルに固定される取付け用の凸部と前記パネルとの間に間隔を形成させる間隔形成用の凹部とが交互に形成され、
前記パネルの一側面に固定された胴縁の凸部と、他側面の胴縁の凹部とが対向されていることを特徴とする耐火遮音間仕切壁。
【請求項２】
前記パネル間に目地材が充填されていることを特徴とする請求項１に記載の耐火遮音間仕切壁。
【請求項３】
前記パネルは、軽量気泡コンクリートパネル、珪酸カルシウム成形板、石膏板、木毛セメント板、パルプセメント板、スレート板、押出成形板のいずれかであることを特徴とする請求項１または２記載の耐火遮音間仕切壁。
【発明の詳細な説明】
【０００１】
【発明の属する技術分野】
本発明は、建築物の間仕切壁、例えば集合住宅、事務所、高層建築物に使用される間仕切壁において、高遮音性を有し、且つ極めて優れた耐火性を有する耐火遮音間仕切壁に関するものである。
【０００２】
【従来の技術】
従来の耐火性および遮音性を目的とした間仕切壁として、特開平７−２６６４３号公報や特開平８−９３０９４号公報に開示の間仕切壁が知られている（第１の技術）。
【０００３】
前記間仕切壁は、いずれも軽量気泡コンクリートパネルすなわちＡＬＣパネルを壁体方向に千鳥配置し、これにより生じた壁体の凹部に遮音材を充填し、ＡＬＣパネルと遮音材の両表面に耐火ボードなどの表面材を張り付けた構造の間仕切壁である。
【０００４】
また、従来構法の間仕切壁として、図１１に示すように、ＡＬＣパネル１１を直線上に並設し、ＡＬＣパネル１１の両外表面にモルタル１２を塗着し、更にその外部側に石膏ボード等の耐火ボード１３を張り付ける間仕切壁１０や、図１２に示すように、直線上に並設したＡＬＣパネル１１の両外表面に木胴縁１４を釘１５で取付け、更にその外部側に石膏ボード等の耐火ボード１３をネジ１６で取付け固定する間仕切壁１０ａが知られている（第２の技術）。
【０００５】
また、実開昭６３−１２９００９号公報には、以下の間仕切壁構造が開示されている。天井スラブ及び床部にそれぞれ所望間隔離して並列に設置した一対ずつの上部及び下部ランナーを設け、前記上部及び下部ランナー間にランナーの長手方向に沿って、補強材入りパネルを二列に所望間隔離し全体として千鳥状に配設し、そして前記各列のパネル間には不燃繊維が取付けられている。また、前記各列のパネル及びこれに連接する不燃繊維の外表面には、互いに異なる材質の耐火ボードが２層に張り付けられ、前記パネル及びこれに連接する不燃繊維の内面間に空気層を形成した構成の間仕切壁が開示されている（第３の技術）。
【０００６】
【発明が解決しようとする課題】
上述した３種の技術において、まず第１の技術はＡＬＣパネルと遮音材を組み合わせた構造であるため遮音性能は有するものの、ＡＬＣパネルを千鳥に配置しなければならず、取付けのための墨だしや位置決めなどの施工に手間が掛り、そのための特殊な取付け金物も必要となる。また、その構造から配線や配管などの点で、電気配線や施工後のコンセントの設置位置が制限されてしまうという問題点がある。更にＡＬＣパネルが壁体長さ方向に対して千鳥配置されているため、間仕切壁が厚くなるという問題がある。
【０００７】
次に、図１１や図１２に示した第２の技術は、単にＡＬＣパネル１１の外部側に耐火ボード１３を組み合わせた構造のため、施工はいたって容易に行える。しかし、その構造において内部側のＡＬＣパネル１１と中間層のモルタル１２や木胴縁１４と外表面側の耐火ボード１３とが当接し固定されている。そのために、外表面の壁面側からの固体伝搬音が、内部側にあるモルタル１２や木胴縁１４、さらにＡＬＣパネル１１を介して直接的に裏面側へよく伝搬する。すなわち、遮音性能の低下が見られるという問題点がある。
【０００８】
更に第３の技術は、耐火性能と遮音性能及び物理的強度を向上させるため、パネルと不燃繊維を千鳥状に配列し、その内面間に空気層が設けられている。さらにパネルと不燃繊維の外表面に耐火ボードを張り付けた構造である。この方法では、該パネルと不燃繊維を並列に間隔をおいて配列しなければならず、そのため上下ランナー位置の取付け位置の制約を受ける可能性がある。また、千鳥配置のために、その位置決めや取付けに正確さが必要である。更に、一枚ずつ交互に取付ける必要があり、また自立が難しい不燃繊維をパネルへ取付けねばならず、非常に手間が掛かる。また第１の技術の場合と同様に、パネルと不燃繊維を千鳥状に配列し、その内部に空気層を設けているため、間仕切壁が厚くなるという問題点もある。
【０００９】
そこで、本発明の目的は、遮音性能と耐火性能に優れており、かつ施工において多大な手間や特殊な取付け金物を必要としない耐火遮音間仕切壁を提供することにある。
【００１０】
【課題を解決するための手段】
本発明の耐火遮音間仕切壁は、複数のパネルを一直線状に並設して内部壁を形成し、この内部壁の両面にそれぞれ水平方向に長く複数のパネルにまたがる胴縁を上下方向複数段に取付け、この内部壁の両面の胴縁にそれぞれ複数のボードを並設して外部壁を形成するとともに、この外部壁と内部壁との間に空気層を形成した耐火遮音間仕切壁であって、
前記各胴縁の内側部には、前記内部壁のパネルに固定される取付け用の凸部と前記パネルとの間に間隔を形成させる間隔形成用の凹部とが交互に形成され、
前記パネルの一側面に固定された胴縁の凸部と、他側面の胴縁の凹部とが対向されている耐火遮音間仕切壁である。
【００１１】
更に、本発明の耐火遮音間仕切壁は、前記パネル間に目地材が充填されている耐火遮音間仕切壁である。
【００１２】
更には、本発明の耐火遮音間仕切壁は、前記パネルが軽量気泡コンクリートパネル、珪酸カルシウム成形板、石膏板、木毛セメント板、パルプセメント板、スレート板、押出成形板のいずれかである耐火遮音間仕切壁である。
【００１３】
【発明の実施の形態】
本発明の耐火遮音間仕切壁の実施形態を、図面を参照して説明する。
（第１の実施形態）
図１乃至図４は、第１の実施形態を示す。図３において、１１０は天井、１２０は床で、この天井１１０と床１２０の間に耐火遮音間仕切壁２０が設けられている。この耐火遮音間仕切壁２０は、軽量気泡コンクリートパネル３０（以下ＡＬＣパネル３０という。）と胴縁４０と石膏ボード等の耐火ボード８０と目地材６０等で構成されている。
【００１４】
そして、その設置に際しては、先ず所望位置の天井１１０の下面に鉄等の金属からなる倒コ字状のランナー９０をアンカー１００で取付け、このランナー９０の垂直片９０ａ間に複数のＡＬＣパネル３０の上部を順次に嵌合して垂直状に設置することにより、図１及び図２に示すように、複数のＡＬＣパネル３０を一直線状に並設し、これによって、内部壁Ａを形成する。
【００１５】
なお、内部壁Ａを構成する各ＡＬＣパネル３０の厚さは、８０ｍｍ〜１２０ｍｍ程度で、それぞれのＡＬＣパネル３０の間には厚さ５ｍｍ〜３０ｍｍ程度の弾性ウレタン製目地材６０をＡＬＣパネル３０の上下方向の全長に渡って充填してあり、この目地材６０により、隣接したＡＬＣパネル３０間での音や振動の固体伝搬を少なくしているとともに、隣接したＡＬＣパネル３０の間の隙間を塞いでいるため、ＡＬＣパネル３０の一面側から他面側への音の空間伝搬を無くしている。
【００１６】
この内部壁Ａの両面には、それぞれ水平方向に長く複数のＡＬＣパネル３０にまたがる胴縁４０が、上下方向３段に取付けられている。この各胴縁４０は、木製で、図４にも示すようにその内側部に、内部壁ＡのＡＬＣパネル３０に対して固定される取付け用の凸部４０ａとＡＬＣパネル３０に対して間隔を形成する間隔形成用の凹部４０ｂとを交互に形成したもので、凸部４０ａの長さａは、ＡＬＣパネル３０の幅より短く、凹部４０ｂの長さｂは、ＡＬＣパネル３０の幅より長く、凸部４０ａの長さａと凹部４０ｂの長さｂの和は、ＡＬＣパネル３０の幅の２倍となっている。
【００１７】
そして、胴縁４０の取付けに際しては、胴縁４０の凸部４０ａが隣接したＡＬＣパネル３０にまたがって当接することなく、各凸部４０ａが必ず１枚のＡＬＣパネル３０にのみ当接するようにするとともに、各凹部４０ｂが１枚のＡＬＣパネル３０と胴縁４０とを完全に離間させるようにし、さらに、同じ１枚のＡＬＣパネル３０の一方の側面に対して上下３段の胴縁４０の凸部４０ａを当接させるとともに、同じ１枚のＡＬＣパネル３０の反対側の側面に対して上下３段の胴縁４０の凹部４０ｂを対向させる。従って、ＡＬＣパネル３０を挟んで、一側の胴縁４０の凸部４０ａと他側の胴縁４０の凹部４０ｂが、必ず対向するようになっている。
また、本実施形態では、胴縁４０は上下３段に設けたが、ＡＬＣパネルの長さに応じて変えることができる。胴縁４０の上下間隔は、４５０ｍｍ〜１２００ｍｍにした方が、耐火ボード８０の取付けの容易性や取付け後の安定性のため好ましい。
【００１８】
尚、この実施形態では、各胴縁４０のＡＬＣパネル３０に対する取付けは、その凸部４０ａを接着剤でＡＬＣパネル３０に接着することによって行われ、後で、耐火ボード８０を胴縁４０に取付ける際に、耐火ボード８０の取付け用のネジ７０で胴縁４０が耐火ボード８０とともにＡＬＣパネル３０に強固に固定されるようになっている。
【００１９】
そして、前記内部壁Ａの両面の胴縁４０の外側部にそれぞれ複数の耐火ボード８０を複数のネジ７０で内部壁Ａと平行に取付けることにより、内部壁Ａの両側に外部壁Ｂが形成されている。この各外部壁Ｂと内部壁Ａとの間には、胴縁４０によって胴縁の幅ｄと同じ厚さの空気層５０が形成され、これによって、耐火性及び遮音性が確保されている。この場合、空気層５０の厚さが大きいほど、耐火性及び遮音性が向上するが、空気層５０を厚くすると、耐火遮音間仕切壁２０の厚さが厚くなるため、空気層５０の厚さは、５０ｍｍ以内にすることが好ましい。
【００２０】
本発明では、このような構成により、内部壁Ａを構成するＡＬＣパネル３０を挟んで、一側の胴縁４０の凸部４０ａと他側の胴縁４０の凹部４０ｂが必ず対向するので、一方の外部壁Ｂを構成する耐火ボード８０からの音や振動は、必ず凹部４０ｂによって隔絶されるため、そのままＡＬＣパネル３０を介して直接的に反対側の外部壁Ｂを構成する耐火ボード８０に固体伝搬することがなく、遮音性を低下させることがない。
【００２１】
（第２の実施形態）
図５は、第２の実施形態の耐火遮音間仕切壁２０ａを示す。尚、この第２の実施形態の説明について、第１の実施形態と同一の部分については同一の符号を付して説明する。
上述した第１の実施形態では、図１に示したように、同じ１枚のＡＬＣパネル３０の一方の側面に対して上下３段の胴縁４０の凸部４０ａを当接させるとともに、同じ１枚のＡＬＣパネル３０の反対側の側面に対して上下３段の胴縁４０の凹部４０ｂを対向させているが、図５に示す第２の実施形態の耐火遮音間仕切壁２０ａのように、同じ１枚のＡＬＣパネル３０の一方の面において、胴縁４０の凸部４０ａと凹部４０ｂを上下方向で交互に配置してもよい。
【００２２】
この第２の実施形態の場合、全てのＡＬＣパネル３０に対して、胴縁４０の凸部４０ａが両面から当接するので、第１の実施形態と比較して、耐火遮音間仕切壁２０ａ剛性が全面的により均一になって、特に弱い部分がなくなるという効果があるが、その反面、一方の外部壁Ｂを構成する耐火ボード８０からの音や振動は、胴縁４０の凸部４０ａを介してＡＬＣパネル３０に伝わった後、ＡＬＣパネル３０内を上下に伝搬することで、反対側の外部壁Ｂを構成する耐火ボード８０に伝わるので、遮音性の面では、第１の実施形態の耐火遮音間仕切壁２０よりもやや劣るものとなる。
【００２３】
（第３及び第４の実施形態）
図６は、第３の実施形態の耐火遮音間仕切壁２１を示し、図７は、第４の実施形態の耐火遮音間仕切壁２２を示すものである。
図１乃至図４に示した第１の実施形態及び図５に示した第２の実施形態では、胴縁４０の凸部４０ａが、ＡＬＣパネル３０に対して、横方向一枚おきに当接するようにしたが、図６の第３の実施形態のように、胴縁４１の凹部４１ｂを長くして、胴縁４１の凸部４１ａが、二枚おきにＡＬＣパネル３０に当接するようにしてもよく、図７の第４の実施形態のように、胴縁４２の凹部４２ｂをさらに長くして、胴縁４２の凸部４２ａが、三枚おきにＡＬＣパネル３０に当接するようにしてもよい。
【００２４】
このように、胴縁４１，４２の凸部４１ａ，４２ａの間隔を長くすると、外部壁Ｂから内部壁Ａさらにこの内部壁Ａから反対側の外部壁Ｂに伝わる音や振動をより一層少なくすることができる。また、図１乃至図４に示した第１の実施形態では、同じネジ７０で胴縁４０と耐火ボード８０をＡＬＣパネル３０に固定したが、この第３の実施形態及び第４の実施形態では、胴縁４１，４２は図示しないネジや釘でＡＬＣパネル３０に取付け、この後、別のネジ８１で耐火ボード８０を胴縁４１，４２に取付けている。
【００２５】
（第５の実施形態）
図８は、第５の実施形態の耐火遮音間仕切壁を示す。
この第５の実施形態は、図３と比較すると明らかなように、図３の第１の実施形態では、天井１１０に対して倒コ字状のランナー９０を用いたのに対し、一対のＬ型アングル９１をランナーとして用い、さらに床１２０側にもランナーとして一対のＬ型アングル９１を設け、複数のＡＬＣパネル３０の上部及び下部をそれぞれ一対のＬ型アングル９１間に嵌合することにより、内部壁Ａを形成している。尚、７１は胴縁４０に耐火ボード８０を固定するネジ、７２は胴縁４０をＡＬＣパネル３０に固定するネジ、１００はＬ型アングル９１を天井１１０或いは床１２０に固定するアンカー、１０１はＬ型アングル９１にＡＬＣパネル３０を固定するネジである。
【００２６】
（第６の実施形態）
図９は、本発明の耐火遮音間仕切壁の胴縁を示す。
図９において、４３は長尺の角棒、４４は直方体、４５は板状材で胴縁が構成されている。そしてこの胴縁は、角棒４３と直方体４４とで構成してもよく、また凹凸を有するよう一体成形したものでもよい。この場合、直方体４４の長さは、ＡＬＣパネル３０の幅より短くする。
そして、直方体４４の角棒４３への取付けに際しては、ネジ８２や釘等を用いてもよく、接着剤で接着してもよい。また、板状材４５の直方体４４への取付けにおいても、ネジや釘や接着剤を用いてもよい。
【００２７】
角棒４３や直方体４４の材質は、金属製やプラスチック製のものを用いてもよいが、加工性や経済性などの点で木製のものが好適である。また、板状材４５の材質は、前記同様の金属製やプラスチック製のものを用いてもよいが、ＡＬＣパネル３０へ直接当接するため、より弾性の大きい材料、つまりゴムや弾性ウレタンなどの樹脂系材料を用いると、外部壁Ｂに伝わる音や振動をより一層少なくすることができるため好適である。角棒４３と直方体４４とで構成した胴縁とする場合は、直方体４４の材質は、前記同様より弾性の大きい材料を用いると、前記同様遮音性の向上が図られ好適である。板状材４５を用いた場合、その長さは、直方体４４の長さと同一でなくてもよく、また、その厚さは、５ｍｍ〜１０ｍｍ程度が好ましい。さらにその内部構造は、密実状であっても、中空状であってもよい。
【００２８】
上述した胴縁は、一方の面においてのみ凹凸状になるように角棒４３の一面に直方体４４を取付けたが、他面においても凹凸部を形成するよう直方体４４を取付けた構成でもよい。この場合、胴縁の両側面に空気層が形成され、これによってさらに耐火性及び遮音性が確保されるため好適である。
【００２９】
ＡＬＣパネル３０間への目地材６０の充填は、ＡＬＣパネル３０の全長に渡り少量ずつ分散させて充填してもよいが、全長に渡りくまなく充填すると遮音性能が向上しより好ましい。目地材６０の材質としては、グラスウール、ロックウール、セラミックファイバー、ゴム、発泡ウレタン、弾性ウレタンなどが採用される。更に無機系の耐火目地接着剤や防振材などの各種樹脂系材料を採用すると遮音性能のほか耐火性が向上しより好適である。
【００３０】
また、ＡＬＣパネル３０と耐火ボード８０の間に形成される空気層５０及び胴縁４０，４１，４２の凹部４０ｂ，４１ｂ，４２ｂに、グラスウールやロックウールなどの無機質の繊維材料が装填されていると、遮音性のみならず耐火性や断熱性の向上が同時に図られ好適である。
【００３１】
内部壁Ａを形成するに当たっては、パネルにＡＬＣパネル３０の他、軽量気泡コンクリート製吸音材（商品名：シズカライト、クリオン株式会社製）、ケイ酸カルシウム板、押出成形板、軽量コンクリート板、石膏ボード、ＰＣ板、中空ＰＣ板などが採用できる。その中でＡＬＣパネル３０を用いた場合は、耐火性や断熱性や易加工性、またネジや釘などの止着性などの点でより好ましい。
【００３２】
【実施例】
本発明に係る実施の形態についての遮音性能を評価するため、第１の実施形態で説明した耐火遮音間仕切壁２０を製作し、音響透過損失（ｄＢ）の測定を行った。倒コ字状のランナー９０は、１０１ｍｍ（幅）×３０５０ｍｍ（長さ）×２．３ｍｍ（厚）の金製のものを用いた。パネルは、６００ｍｍ（幅）×１００ｍｍ（厚）×３０００ｍｍ（長さ）のＡＬＣパネル３０を用いた。各ＡＬＣパネル３０間は、１０ｍｍの隙間を設け、その隙間に弾性ウレタン製の目地材６０をその長さ方向全長に渡り充填した。
【００３３】
次に、全長が３０００ｍｍで、その凸部４０ａの厚さ（ｃ）が２０ｍｍ、長さ（ａ）が４００ｍｍ、凹部５０の長さ（ｂ）が８００ｍｍ、幅（ｄ）が４０ｍｍ、厚さ（ｅ）が３０ｍｍの密実状の木製胴縁４０を用い、ＡＬＣパネル３０の上下方向に７００ｍｍの間隔をおいて３段になるよう、ＡＬＣパネル３０の両外表面に取付けた。この時、凸部４０ａの位置は、１枚のＡＬＣパネル３０の一方の側面にのみ当接するよう取付けた。そして胴縁４０のＡＬＣパネル３０への取付けは、各凸部４０ａに有機系接着剤を少量塗布し、仮付けとしてＡＬＣパネル３０に取付けた。
【００３４】
次いで、胴縁４０の両外表面に、厚さが２０ｍｍの石膏ボード８０を取付けた。取付けに際しては、胴縁４０の凸部４０ａの位置に、ＡＬＣパネル３０にまで挿通するよう金属製のネジ７０で取付け固定し、耐火遮音間仕切壁２０を完成させた。その後、耐火遮音間仕切壁２０の遮音性能を評価するため、中心周波数１２５Ｈｚ〜４ｋＨｚまでの音響透過損失（ｄＢ）の測定を行った。その結果を図１０に示す。
（註：透過損失とは、１つの遮音層においてその一面に入射する音の音圧レベルに対し、透過する音の音圧レベルがどれだけ低下するかをｄＢ（デシベル）で示した値。）
【００３５】
【比較例】
前記実施例に用いたものと同寸法のＡＬＣパネル３０を用い、図１２に示すような従来の間仕切壁１０ａを完成させ、音響透過損失（ｄＢ）の測定を行い比較例とした。この時用いた胴縁１４は、実施例で用いた胴縁４０と同一の断面寸法（幅４０ｍｍ×厚さ３０ｍｍ×長さ３０００ｍｍ）で、凸部を有しない密実状の木製角棒を３段になるよう釘１５でＡＬＣパネル３０に取付けた。その後胴縁１４の外表面に、厚さが２０ｍｍの石膏ボード１３を金属製のネジ１６で取付け、間仕切壁１０ａを完成させた。その後、この間仕切壁１０ａの遮音性能を評価するため、上記同様中心周波数１２５Ｈｚ〜４ｋＨｚまでの音響透過損失（ｄＢ）の測定を行った。その結果を上記同様図１０に比較例として示す。
【００３６】
図１０で明らかなように本発明の耐火遮音間仕切壁２０は、測定を行った全領域において、比較例である間仕切壁１０ａより上回る透過損失すなわち遮音性能が得られた。特に比較例のものは、中心周波数が３００Ｈｚ〜５００Ｈｚにおいて、ＡＬＣ特有のコインシデンス効果による透過損失の低下すなわち遮音性能の低下が見られるが、本発明の耐火遮音間仕切壁２０は、このような低下がなく、しかも中心周波数が５００Ｈｚ以上においては、いずれにおいても６０ｄＢを越える透過損失が得られた。
【００３７】
【発明の効果】
上述したように本発明の耐火遮音間仕切壁は、特殊な取付け金物も必要が無く、またいずれの材料もその水平方向に同一直線上に配列していくため、現場での施工性もよく、また工期短縮にも寄与できる。更に、高い遮音性能と耐火性能を同時に満足する耐火遮音間仕切壁を得ることができるという優れた効果を発揮する。
【図面の簡単な説明】
【図１】本発明の耐火遮音間仕切壁の第１の実施形態の斜視図。
【図２】同上第１の実施形態の横断面図。
【図３】同上第１の実施形態の縦断面図。
【図４】同上第１の実施形態の胴縁の斜視図。
【図５】本発明の耐火遮音間仕切壁の第２の実施形態の斜視図。
【図６】本発明の耐火遮音間仕切壁の第３の実施形態の横縦断面図。
【図７】本発明の耐火遮音間仕切壁の第４の実施形態の横縦断面図。
【図８】本発明の耐火遮音間仕切壁の第５の実施形態の縦断面図。
【図９】本発明の耐火遮音間仕切壁の第６の実施形態の胴縁の部分斜視図。
【図１０】本発明の耐火遮音間仕切壁の実施例と比較例の音響透過損失の測定結果。
【図１１】従来の耐火遮音間仕切壁を示す横断面図。
【図１２】従来の耐火遮音間仕切壁を示す要部斜視図。
【符号の説明】
１０      従来の間仕切壁
１０ａ    従来の間仕切壁
１１      ＡＬＣパネル
１２      モルタル
１３      耐火ボード
１４      木製胴縁
１５      釘
１６      ネジ
２０      耐火遮音間仕切壁
２０ａ    耐火遮音間仕切壁
Ａ        内部壁
２１      耐火遮音間仕切壁
２２      耐火遮音間仕切壁
３０      軽量気泡コンクリートパネル（ＡＬＣパネル）
４０      胴縁
４０ａ    凸部
４０ｂ    凹部
４１      胴縁
４１ａ    凸部
４１ｂ    凹部
４２      胴縁
４２ａ    凸部
４２ｂ    凹部
Ｂ        外部壁
４３      角棒
４４      直方体
４５      板状材
５０      空気層
６０      目地材
７０      ネジ
７１      ネジ
７２      ネジ
８０      耐火ボード
８１      ネジ
８２      ネジ
９０      ランナー
９０ａ    垂直片
９１      Ｌ型アングル
１００      アンカー
１０１      ネジ
１１０      天井
１２０      床
【図１】
0003847126.tif 000002
【図２】
0003847126.tif 000003
【図３】
0003847126.tif 000004
【図４】
0003847126.tif 000005
【図５】
0003847126.tif 000006
【図６】
0003847126.tif 000007
【図７】
0003847126.tif 000008
【図８】
0003847126.tif 000009
【図９】
0003847126.tif 000010
【図１０】
0003847126.tif 000011
【図１１】
0003847126.tif 000012
【図１２】
0003847126.tif 000013